(57)【要約】【課題】カラーコードの使用環境が変化しても、補完セルの選択色の認識精度の低下を抑制することができるカラーコード、カラーコード読取装置、カラーコード読取システム、及び画像形成装置を提供する。【解決手段】カラーコード１０は、複数の補完セルを備える。複数の色のうちのいずれか１つの色である選択色が複数の補完セル毎に設定される。複数の補完セルの各々は、選択色を有する第１領域と、第１領域の選択色の濃度よりも低濃度である低濃度色を有する第２領域とを含む。【選択図】図２
2018169670.tif 000002
【特許請求の範囲】
【請求項１】
複数のセルを備え、複数の色のうちのいずれか１つの色である選択色が前記セル毎に設定され、
前記複数のセルは、補完セルを含み、
前記補完セルは、
前記選択色を有する第１領域と、
前記第１領域の前記選択色の濃度よりも低濃度である低濃度色を有する第２領域と
を含む、カラーコード。
【請求項２】
前記第１領域と前記第２領域との配列は複数のパターンを有し、
前記複数のパターンの各々に対しては、前記複数の色のうちのいずれか１つの色が互いに重複しないように対応した対応関係が設定され、
前記複数のセルのうちの対象セルに対して予め定められた位置に前記補完セルが配置され、
前記第１領域と前記第２領域とが、前記対象セルの前記選択色に対応するパターンの配列を有する、請求項１に記載のカラーコード。
【請求項３】
請求項１又は請求項２に記載のカラーコードを読み取るカラーコード読取装置であって、
前記複数のセルの画像データを読み取る読取部と、
前記画像データに基づいて、前記複数のセルの各々の前記選択色を認識する認識部と
を備える、カラーコード読取装置。
【請求項４】
請求項２に記載のカラーコードを読み取るカラーコード読取装置であって、
前記複数のセルの画像データを読み取る読取部と、
前記画像データに基づいて、前記複数のセルの各々の前記選択色を認識する認識部と、
前記対応関係を示す対応情報と、前記対象セルに対する前記補完セルの位置を示す位置情報とを記憶する記憶部と、
前記認識部が前記対象セルの前記選択色を認識できない場合、前記画像データと、前記対応情報と、前記位置情報とに基づいて前記対象セルの前記選択色を算出する算出部と
を備える、カラーコード読取装置。
【請求項５】
請求項１又は請求項２に記載のカラーコードと、
請求項３に記載のカラーコード読取装置と
を備える、カラーコード読取システム。
【請求項６】
請求項２に記載のカラーコードと、
請求項４に記載のカラーコード読取装置と
を備える、カラーコード読取システム。
【請求項７】
請求項３又は請求項４に記載のカラーコード読取装置と、
前記カラーコードを示す情報を記憶する記憶部と、
前記カラーコードの画像をシートに形成する画像形成部と
を備える画像形成装置。
【発明の詳細な説明】
【技術分野】
【０００１】
本発明は、カラーコード、カラーコード読取装置、カラーコード読取システム、及び画像形成装置に関する。
【背景技術】
【０００２】
特許文献１に記載のカラーコード認識装置は、複数の色の中から選択された色を有するセルの中に複数の色が存在した場合、複数の色の中で、多数の色の組み合わせを用いて構成される色をセルの本来の色と認識する。
【先行技術文献】
【特許文献】
【０００３】
【特許文献１】特開２０１１−１３４０９３号公報
【発明の概要】
【発明が解決しようとする課題】
【０００４】
しかし、通常の使用場所に比べて明るさが異なる場所でカラーコードが使用される場合がある。この場合、実物のセルの色の濃度と、装置が取得したセルの画像の色の濃度との間のかい離が大きくなる。その結果、カラーコードの使用環境が変化すると、セルの色の認識精度が低下するおそれがある。
【０００５】
本発明は、上記課題に鑑みてなされたものであり、カラーコードの使用環境が変化しても、セルの色の認識精度の低下を抑制することができるカラーコード、カラーコード読取装置、カラーコード読取システム、及び画像形成装置を提供することを目的としている。
【課題を解決するための手段】
【０００６】
本発明の一局面によれば、カラーコードは、複数のセルを備える。複数の色のうちのいずれか１つの色である選択色が前記セル毎に設定される。前記複数のセルは、補完セルを含む。前記補完セルは、前記選択色を有する第１領域と、前記第１領域の前記選択色の濃度よりも低濃度である低濃度色を有する第２領域とを含む。
【発明の効果】
【０００７】
本発明によれば、カラーコードの使用環境が変化しても、補完セル（セル）の選択色（色）の認識精度の低下を抑制することができる。
【図面の簡単な説明】
【０００８】
【図１】本発明の実施形態に係るカラーコードを示す図。
【図２】（ａ）第１領域と第２領域との配列のパターンと、複数の色との対応関係を示す図、（ｂ）補完セルの補完機能を示す図。
【図３】カラーコード読取システムを示す概略構成図。
【図４】画像形成装置を示す概略構成図。
【図５】制御装置の動作を示すフローチャート。
【発明を実施するための形態】
【０００９】
本発明の実施形態について、図面を参照しながら説明する。なお、図中、同一又は相当部分については同一の参照符号を付して説明を繰り返さない。
【００１０】
図１を参照して、カラーコード１０について説明する。図１は、カラーコード１０を示す概略構成である。
【００１１】
図１に示すように、カラーコード１０は、複数のセルを備える。カラーコード１０は、セル毎に複数の色のうちのいずれか１つの色である選択色を設定する。カラーコード１０は、複数の選択色の配列で情報を表す。複数のセルは、補完セルを備える。本実施形態では、複数のセルの全てが補完セルで構成される。複数の補完セルは、例えば、第１補完セル１１と、第２補完セル１２と、第３補完セル１３と、第４補完セル１４と、第５補完セル１５とで構成される。複数の補完セルは、第１補完セル１１と、第２補完セル１２と、第３補完セル１３と、第４補完セル１４、及び第５補完セル１５の順番で並ぶ。
【００１２】
本実施形態では、複数の補完セルの各々に番号を割り当てる。番号は、複数の補完セルの並ぶ順番に割り当てられる。例えば、第１補完セル１１の番号が１番であり、第２補完セル１２の番号が２番であり、第３補完セル１３の番号が３番であり、第４補完セル１４の番号が４番であり、第５補完セル１５の番号が５番である。
【００１３】
複数の補完セルの各々に対しては、選択色が設定される。選択色は、複数の色のうちのいずれか１つの色である。本実施形態では、複数の色が、青、黄、赤、及び緑で構成される。従って、複数の補完セルの各々の選択色は、青、黄、赤、及び緑のうちのいずれか１つの色になる。本実施形態では、第１補完セル１１の選択色が青であり、第２補完セル１２の選択色が黄であり、第３補完セル１３の選択色が赤であり、第４補完セル１４の選択色が青であり、第５補完セル１５の選択色が緑である。
【００１４】
複数の補完セルの各々は、各自に設定された選択色を有する第１領域と、低濃度色を有する第２領域とを含む。低濃度色は、複数の補完セルの各々において、第１領域の選択色の濃度よりも低濃度の色を示す。つまり、単一の補完セルにおいて、第１領域と第２領域とは同じ色を有する。さらに、第１領域の有する選択色の濃度の方が、第２領域の有する低濃度色の濃度よりも高い。
【００１５】
第１補完セル１１は、第１領域１１ａと、第２領域１１ｂとを含む。第１補完セル１１の第１領域１１ａは、第１補完セル１１の選択色である青で表される。第１補完セル１１の第２領域１１ｂは、青の濃度よりも低濃度である薄青で表される。
【００１６】
第２補完セル１２は、第１領域１２ａと、第２領域１２ｂとを含む。第２補完セル１２の第１領域１２ａは、第２補完セル１２の選択色である黄で表される。第２補完セル１２の第２領域１２ｂは、黄の濃度よりも低濃度である薄黄で表される。
【００１７】
第３補完セル１３は、第１領域１３ａと、第２領域１３ｂとを含む。第３補完セル１３の第１領域１３ａは、第３補完セル１３の選択色である赤で表される。第３補完セル１３の第２領域１３ｂは、赤の濃度よりも低濃度である薄赤で表される。
【００１８】
第４補完セル１４は、第１領域１４ａと、第２領域１４ｂとを含む。第４補完セル１４の第１領域１４ａは、第４補完セル１４の選択色である青で表される。第４補完セル１４の第２領域１４ｂは、青の濃度よりも低濃度である薄青で表される。
【００１９】
第５補完セル１５は、第１領域１５ａと、第２領域１５ｂとを含む。第５補完セル１５の第１領域１５ａは、第５補完セル１５の選択色である緑で表される。第５補完セル１５の第２領域１５ｂは、緑よりも低濃度である薄緑で表される。
【００２０】
カラーコード１０の使用環境の変化により、カラーコード１０を読み取る装置が、実物のセルの色の濃度よりも、セルの色の濃度を高く認識する場合がある。この場合、本実施形態のカラーコード１０によると、複数の補完セルの各々について、第２領域の低濃度色を選択色として装置に認識させることができる。従って、カラーコードの使用環境が変化しても、複数の補完セルの各々について、選択色の認識精度の低下を抑制することができる。
【００２１】
次に図２（ａ）を参照して、第１領域と第２領域との配列のパターンと、複数の色との対応関係について説明する。図２（ａ）は、第１領域と第２領域との配列のパターンと、複数の色との対応関係を示す。
【００２２】
図２（ａ）は、第１方向Ｐと、第２方向Ｑとを示す。第１方向Ｐは、図２（ａ）の紙面上側に向かう方向を示す。第２方向Ｑは、図２（ａ）の紙面右側に向かう方向を示す。第１方向Ｐは、第２方向Ｑに対し垂直な方向を示す。
【００２３】
第１領域と第２領域との配列は複数のパターンを有する。第１領域と第２領域との配列は、青と薄青との配列、黄と薄黄との配列、赤と薄赤との配列、及び、緑と薄緑との配列、のうちのいずれかの配列をとりうる。つまり、第１領域と第２領域との配列は、複数の選択色の各々についての同色の第１領域と第２領域との配列を示す。
また、本実施形態では、第１領域と第２領域との配列は、パターンＡからパターンＤまでの４つのパターンを有する。
【００２４】
パターンＡは、第１領域と第２領域とが、第１方向Ｐに向かって、第１領域及び第２領域の順に配列されるパターンを示す。
【００２５】
パターンＢは、第１領域と第２領域とが、第２方向Ｑに向かって、第２領域及び第１領域の順に配列されるパターンを示す。
【００２６】
パターンＣは、第１領域と第２領域とが、第１方向Ｐに向かって、第２領域及び第１領域の順に配列されるパターンを示す。
【００２７】
パターンＤは、第１領域と第２領域とが、第２方向Ｑに向かって、第１領域及び第２領域の順に配列されるパターンを示す。
【００２８】
複数のパターンの各々に対しては、複数の色のうちのいずれか１つの色が互いに重複しないように対応した対応関係が設定される。つまり、複数のパターンの各々に対しては、複数の色のうちのいずれか１つの色が対応している。さらに、複数のパターンの各々に対しては、互いに異なる色が対応している。
【００２９】
本実施形態では、パターンＡに対しては、赤が対応する。パターンＢに対しては、緑が対応する。パターンＣに対しては、青が対応する。パターンＤに対しては、黄が対応する。
【００３０】
図２（ｂ）は、補完セルの補完機能を示す。図２（ｂ）を参照して、補完セルの補完機能について説明する。
【００３１】
図２（ｂ）に示すように、本実施形態では、１番から５番までに示す複数の補完セルにおいて、ｎ番の補完セルを（ｎ＋１）番の補完セルが補完する（ｎ＝１、２、３、４、５）。つまり、（ｎ＋１）番の補完セルが、ｎ番の補完セルの選択色を示す情報を有する。
【００３２】
第１補完セル１１の選択色は、青である。
【００３３】
第２補完セル１２において、第１領域と第２領域とがパターンＣの配列を有する。従って、第２補完セル１２は、パターンＣに対応する青を示す情報を有する。その結果、第１補完セル１１から青を示す情報を読み取れなかったとしても、第２補完セル１２が第１補完セル１１の選択色である青を示す情報を提供することができる。
第２補完セル１２の選択色は、黄である。
【００３４】
第３補完セル１３において、第１領域と第２領域とがパターンＤの配列を有する。従って、第３補完セル１３は、パターンＤに対応する黄を示す情報を有する。その結果、第２補完セル１２から黄を示す情報を読み取れなかったとしても、第３補完セル１３が第２補完セル１２の選択色である黄を示す情報を提供することができる。
第３補完セル１３の選択色は、赤である。
【００３５】
第４補完セル１４において、第１領域と第２領域とがパターンＡの配列を有する。従って、第４補完セル１４は、パターンＡに対応する赤を示す情報を有する。その結果、第３補完セル１３から赤を示す情報を読み取れなかったとしても、第４補完セル１４が第３補完セル１３の選択色である赤を示す情報を提供することができる。
第４補完セル１４の選択色は、青である。
【００３６】
第５補完セル１５において、第１領域と第２領域とがパターンＣの配列を有する。従って、第５補完セル１５は、パターンＣに対応する青を示す情報を有する。その結果、第４補完セル１４から青を示す情報を読み取れなかったとしても、第５補完セル１５が第４補完セル１４の選択色である青を示す情報を提供することができる。
【００３７】
従って、ｎ番の補完セルは、（ｎ−１）番の補完セルを補完する。従って、ｎ番の補完セルに対しては、（ｎ−１）番の補完セルが対象セルとなる。対象セルは、補完セルにより補完されるセルを示す。補完するとは、補完セルが対象セルの選択色を示す情報を有し、対象セル自体から対象セルの識別色を認識できない場合に、補完セルが対象セルの選択色を示す情報を提供することを示す。
これに対し、ｎ番の補完セルは、（ｎ＋１）番の補完セルによって補完される。従って、（ｎ＋１）番の補完セルに対しては、ｎ番の補完セルが対象セルとなる。
本実施形態では、複数の補完セルのうちのいずれか１つを対象セルとした場合、対象セルに対して、図２（ｂ）の紙面右隣り、対象セルを補完する補完セルが位置する。
【００３８】
以上、図２（ａ）及び図２（ｂ）を参照して説明したように、対象セルの色から対象セルの選択色を認識できない場合、補完セルの第１領域と第２領域との配列のパターンに基づいて、対象セルの選択色を算出することができる。従って、カラーコード１０の読み取りエラーの発生を抑制することができる。
【００３９】
次に、図３を参照して、カラーコード読取システム２０について説明する。図３は、カラーコード読取システム２０を示す概略構成図である。
【００４０】
図３に示すように、カラーコード読取システム２０は、カラーコード１０と、カラーコード読取装置３０とを備える。
【００４１】
カラーコード読取装置３０は、読取部３１と、記憶部３２と、制御装置３３とを備える。
【００４２】
読取部３１は、カラーコード１０を撮像又は走査して、複数の補完セルの画像データを取得する。読取部３１は、例えば、カメラ、スマートフォン、及びスキャナーである。
【００４３】
記憶部３２は、記憶装置を含む。記憶装置は、ＲＯＭ（Ｒｅａｄ  Ｏｎｌｙ  Ｍｅｍｏｒｙ）、及びＲＡＭ（Ｒａｎｄｏｍ  Ａｃｃｅｓｓ  Ｍｅｍｏｒｙ）のような主記憶装置（例えば、半導体メモリー）を含み、補助記憶装置（例えば、半導体メモリー、又はハードディスクドライブ）をさらに含んでもよい。主記憶装置は、制御装置３３によって実行される種々のコンピュータープログラムを記憶する。
【００４４】
記憶部３２は、第１領域と第２領域との配列のパターンと、複数の色との対応関係を示す対応情報を記憶する。
【００４５】
記憶部３２は、複数の色の各々についての濃度の所定範囲を示す情報を記憶する。また、記憶部３２は、第１領域と第２領域との面積比の所定範囲を示す情報を記憶する。
【００４６】
記憶部３２は、対象セルに対する補完セルの位置を示す位置情報を記憶する。
本実施形態では、ｎ番の補完セルを、（ｎ＋１）番の補完セルが補完する（ｎ＝１、２、３・・・・）（図２（ｂ））。この場合、ｎ番の補完セルが対象セルとなる。従って、記憶部３２に記憶される位置情報は、ｎ番の補完セルに対する（ｎ＋１）番の補完セルの位置を示す情報となる。
【００４７】
制御装置３３は、ＣＰＵ（Ｃｅｎｔｒａｌ  Ｐｒｏｃｅｓｓｉｎｇ  Ｕｎｉｔ）及びＭＰＵ（Ｍｉｃｒｏ  Ｐｒｏｃｅｓｓｉｎｇ  Ｕｎｉｔ）のようなプロセッサーを含む。制御装置３３は、カラーコード読取装置３０の各要素を制御する。具体的には、プロセッサーは、記憶装置に記憶されたコンピュータープログラムを実行することにより、読取部３１と、記憶部３２とを制御する。
【００４８】
制御装置３３は、認識部３４と、算出部３５とを有する。具体的には、プロセッサーが、記憶装置に記憶されたコンピュータープログラムを実行することにより、認識部３４、及び算出部３５して機能する。
【００４９】
認識部３４は、読取部３１から複数の補完セルの画像データを取得する。そして、認識部３４は、画像データに基づいて、複数の補完セルの各々の選択色を認識する。認識部３４は、第１領域の色と第２領域の色とが、同系色であり、かつ、所定範囲内の濃度を有していれば、同色と判断する。
【００５０】
認識部３４が複数の補完セルのうちのいずれかの選択色を認識できない場合、算出部３５は、画像データと、対応情報と、位置情報とに基づいて、認識部３４が認識できなかった補完セルの選択色を算出する。
【００５１】
補完セルの選択色を認識できない場合は、例えば、（ｉ）認識部３４が複数の色とは異なる色を認識した場合、（ｉｉ）認識部３４が複数の色のうちのいずれかの色を認識したが、色の濃度が予め決められた所定範囲から外れていた場合、及び（ｉｉｉ）第１領域と第２領域との面積比が、予め決められた所定範囲から外れていた場合のうちのいずれか１つに当てはまる場合を示す。
【００５２】
例えば、認識部３４が第２補完セル１２の選択色を認識できない場合、算出部３５は、第２補完セル１２を対象セルに設定する。
そして、算出部３５は、位置情報に基づいて、第２補完セル１２の補完セルを認識する。本実施形態では、算出部３５は、第３補完セル１３を、第２補完セル１２の補完セルとして認識する。
そして、算出部３５は、画像データに基づいて、第３補完セル１３の第１領域と第２領域とのパターンを算出する。本実施形態では、算出部３５は、パターンＤを算出する。
そして、算出部３５は、対応情報に基づいて、パターンＤに対応する黄を算出する。
そして、算出部３５は、黄を第２補完セル１２の選択色として算出する。
【００５３】
以上、図３を参照して説明したように、複数の補完セルの各々は、第１領域と第２領域とを含む。従って、カラーコード１０の使用環境が変化しても、複数の補完セルの各々について、認識部３４が、第２領域の低濃度色を選択色として認識することができる。従って、複数の補完セルの各々について、選択色の認識精度の低下を抑制することができる。
【００５４】
また、認識部３４が、対象セルの色から対象セルの選択色を認識できない場合、算出部３５が、補完セルの第１領域と第２領域との配列のパターンに基づいて、対象セルの選択色を算出することができる。従って、カラーコード１０の読取エラーの発生を抑制することができる。
【００５５】
次に、図４を参照して、画像形成装置１００について説明する。図４は、画像形成装置１００を示す概略構成図である。
【００５６】
図４に示すように、画像形成装置１００は、搬送部１と、入力部２と、カセット４と、給送ローラー５と、搬送ローラー６と、画像形成部７と、排出ローラー８と、制御部９と、カラーコード読取装置３０とを備える。カラーコード読取装置３０は、読取部３１と、記憶部３２と、制御装置３３とを備える。
【００５７】
搬送部１は、読み取り対象の画像を有するシートを、読取部３１に向けて搬送する。読取部３１は、シートを走査して、画像データを取得する。入力部２は、表示部２ａと、操作キー群２ｂとを含む。入力部２は、画像形成装置１００に対するユーザーからの指示を受け付ける。表示部２ａは、タッチパネルとして機能する。
【００５８】
カセット４は、シートを収容する。給送ローラー５は、カセット４内のシートを送出する。搬送ローラー６は、給送ローラー５から搬送されたシートを、画像形成部７に向けて送出する。画像形成部７は、シートに画像を形成する。本実施形態では、画像形成部７は、シートにカラーコード１０の画像を形成する。排出ローラー８は、画像形成部７を通過したシートを、画像形成装置１００の筐体の外部へ排出する。
【００５９】
制御装置３３は、制御部９を有する。具体的には、プロセッサーが、記憶装置に記憶されたコンピュータープログラムを実行することにより、制御部９として機能する。
制御部９は、搬送部１と、入力部２と、カセット４と、給送ローラー５と、搬送ローラー６と、画像形成部７と、排出ローラー８とを制御する。記憶部３２は、カラーコード１０を示す情報を記憶する。
【００６０】
以上、図４を参照して説明したように、画像形成装置１００は、シートにカラーコード１０の画像を形成する。従って、複数の補完セルの各々について、認識部３４による選択色の認識精度が低下した場合、画像形成装置１００によりカラーコード１０を印刷して、新規のカラーコード１０を使用することができる。
【００６１】
次に、図５を参照して、制御装置３３の動作について説明する。図５は、制御装置３３の動作を示すフローチャートの一例である。
【００６２】
図５に示すように、ステップＳ１０において、入力部２が、ユーザーから読取指示を受け付ける。読取指示は、カラーコード１０の読取試験を行う旨の指示を示す。
【００６３】
ステップＳ２０において、読取部３１が、カラーコード１０を走査して、複数の補完セルの画像データを取得する。
【００６４】
ステップＳ３０において、認識部３４が、読取部３１から複数の補完セルの画像データを取得する。そして、認識部３４は、画像データに基づいて、複数の補完セルの各々の選択色を認識する。
【００６５】
ステップＳ４０において、認識部３４が、全ての選択色を認識できたか否かを確認する。認識部３４が全ての選択色を認識できた場合（ステップＳ４０でＹｅｓ）、処理がステップＳ５０に移行する。認識部３４が全ての選択色を認識できない場合（ステップＳ４０でＮｏ）、処理がステップＳ６０に移行する。
【００６６】
ステップＳ５０において、表示部２ａが、認識部３４の認識結果を表示する。表示部２ａは、例えば、全ての選択色を認識できた旨の表示を行う。
【００６７】
ステップＳ６０において、算出部３５は、画像データと、対応情報と、位置情報とに基づいて、認識部３４が認識できなかった補完セルの選択色を算出する。
【００６８】
ステップＳ７０において、表示部２ａが、認識部３４の認識結果と算出部３５の算出結果とを表示する。表示部２ａは、例えば、第１合格の補完セルと、第２合格の補完セルと、不合格の補完セルとを表示する。第１合格の補完セルは、認識部３４によって選択色を認識された補完セルを示す。第２合格の補完セルは、認識部３４によって選択色を認識されなかったが、算出部３５によって選択色を算出された補完セルを示す。不合格の補完セルは、認識部３４によって選択色を認識されず、かつ、算出部３５によって選択色を算出されなかった補完セルを示す。
【００６９】
ユーザーは、ステップＳ１０〜ステップＳ７０に規定したカラーコード１０の読取試験を行った後、表示部２ａの表示内容を確認する。そして、ユーザーは、例えば、画像形成装置１００にカラーコード１０の印刷を行わせるか否かを判断する。
【００７０】
表示部２ａが、全ての選択色を認識できた旨の表示を行った場合（ステップＳ５０）、ユーザーは、画像形成装置１００にカラーコード１０の印刷を行わせない。その結果、ユーザーは、今後も、読取試験で使用した既存のカラーコード１０を使用する。
【００７１】
表示部２ａが、第２合格の補完セル、及び／又は、不合格の補完セルを表示した場合（ステップＳ７０）、ユーザーは、入力部２を操作して、画像形成装置１００にカラーコード１０の印刷を行わせる。その結果、ユーザーは、今後は、新規に印刷したカラーコード１０を使用する。
【００７２】
以上、図５を参照して説明したように、ユーザーは、読取試験の結果に基づいて、既存のカラーコード１０を使用するか、又は、新規に印刷したカラーコード１０を使用するかを選択することができる。
【００７３】
次に、図２（ａ）及び図２（ｂ）を参照して、補完セルが情報を失った場合の対処法の例１から例４を説明する。情報を失うとは、認識部３４が選択色を認識できない状態になることを示す。
【００７４】
図２（ａ）及び図２（ｂ）に示すように、例１は、連続して並ぶ複数の補完セルが同時に情報を失う場合の対処法を示す。
例えば、第１補完セル１１と第２補完セル１２とが情報を失う場合がある。この場合、カラーコード１０において、対象セルと補完セルとを互いに離間して配置する。具体的には、記憶部３２に記憶される位置情報を変更する。さらに、カラーコード１０を設計変更する。具体的には、複数の補完セルの各々の第１領域と第２領域との配列のパターンを必要に応じて変更する。
以下、第１補完セル１１と第２補完セル１２とが情報を失う場合の対処法の具体例を説明する。
【００７５】
まず、記憶部３２に記憶される位置情報を変更する。例えば、ｎ番の補完セルが、（ｎ＋２）番の補完セルで補完されるように構成する。その結果、第１補完セル１１が第３補完セル１３で補完され、第２補完セル１２が第４補完セル１４で補完される。また、第３補完セル１３が第５補完セル１５で補完される。
【００７６】
さらに、カラーコード１０を設計変更する。
第３補完セル１３の第１領域１３ａと第２領域１３ｂとの配列を、パターンＤからパターンＣに変更する。その結果、第３補完セル１３が、第１補完セル１１の選択色である青を示す情報を有する。
【００７７】
第４補完セル１４の第１領域１４ａと第２領域１４ｂとの配列を、パターンＡからパターンＤに変更する。その結果、第４補完セル１４が、第２補完セル１２の選択色である黄を示す情報を有する。
【００７８】
第５補完セル１５の第１領域１５ａと第２領域１５ｂとの配列を、パターンＣからパターンＡに変更する。その結果、第５補完セル１５が、第３補完セル１３の選択色である赤を示す情報を有する。
【００７９】
ユーザーは、設計変更したカラーコード１０を、画像形成装置１００により印刷して使用する。その結果、第１補完セル１１と第２補完セル１２とが情報を失ったとしても、第３補完セル１３で第１補完セル１１を補完し、第４補完セル１４で第２補完セル１２を補完することができる。
【００８０】
従って、対象セルと補完セルとを互いに離間して配置することで、連続して並ぶ複数の補完セルが同時に情報を失う場合でも、連続して並ぶ複数の補完セルの各々を補完することが可能となる。
【００８１】
例２は、カラーコード１０の経年劣化により、複数のセルの各々の選択色を認識部３４が認識しにくい場合の対処法を示す。この場合、ユーザーは、画像形成装置１００によりカラーコード１０を印刷する。そして、ユーザーは、新規に印刷したカラーコード１０を使用する。その結果、認識部３４に複数の補完セルの各々を精度よく認識させることができる。
【００８２】
例３は、カラーコード１０の使用環境の変化により、認識部３４による複数の補完セルの各々の選択色の認識の精度が低下する場合の対処法を示す。例えば、通常の使用場所に比べて明るさが異なる場所でカラーコード１０が使用される場合である。この場合、カラーコード１０を設計変更する。具体的には、複数のセルの各々の選択色の濃度、及び／又は、第１領域と第２領域との色の濃度差を、カラーコード１０に使用環境に合わせて変更する。ユーザーは、設計変更したカラーコード１０を、画像形成装置１００により印刷して使用する。その結果、認識部３４が複数の補完セルの各々の選択色を認識する際に、認識の精度が低下することを抑制することができる。
【００８３】
例４は、特定の補完セルが頻繁に情報を失う場合の対処法を示す。例えば、特定の補完セルに頻繁に汚れが付着する場合である。この場合、カラーコード１０を設計変更し、複数の補完セルの各々のサイズを現在のサイズよりも大きくする。その結果、複数の補完セルの各々は、汚れの影響を受けにくくなる。複数の補完セルの各々のサイズが大きくなることで、各補完セルの選択色の占める領域が拡大するからである。その結果、複数の補完セルの各々が情報を失うことを抑制することができる。ユーザーは、設計変更したカラーコード１０を、画像形成装置１００により印刷して使用する。
【００８４】
以上、図面（図１〜図５）を参照しながら本発明の実施形態について説明した。但し、本発明は、上記の実施形態に限られるものではなく、その要旨を逸脱しない範囲で種々の態様において実施することが可能である（例えば、（１）〜（３））。また、上記の実施形態に開示されている複数の構成要素を適宜組み合わせることによって、種々の発明の形成が可能である。例えば、実施形態に示される全構成要素から幾つかの構成要素を削除してもよい。図面は、理解しやすくするために、それぞれの構成要素を主体に模式的に示しており、図示された各構成要素の個数等は、図面作成の都合から実際とは異なる場合もある。また、上記の実施形態で示す各構成要素は一例であって、特に限定されるものではなく、本発明の効果から実質的に逸脱しない範囲で種々の変更が可能である。
【００８５】
（１）本実施形態では、カラーコード１０は、複数の補完セルを備える。しかし、本発明はこれに限定されない。カラーコード１０は、補完セルと、選択色のみを有する単色のセルとを備えていてもよい。この場合、単色のセルを補完セルで補完する。その結果、カラーコード１０のバリエーションを増やすことができる。
【００８６】
（２）本実施形態では、第１領域と第２領域とは、第１方向Ｐと第２方向Ｑとのうちのいずれかの方向に配列される。しかし、本発明はこれに限定されない。第１領域と第２領域とが複数の方向に配列される場合、複数の方向の各々が互いに異なる方向であればよい。例えば、補完セルの対角線の方向に配列されていてもよい。その結果、第１領域と第２領域との配列のパターンを増やすことができる。
【００８７】
（３）本実施形態では、例１〜例４に示すように、補完セルが情報を失った場合、カラーコード１０の設計変更、記憶部３２に記憶される位置情報の変更、及び、カラーコード１０の印刷のような改善作業をユーザーが手作業で行った。しかし、本発明はこれに限定されない。画像形成装置１００が、例１〜例４に示すような改善作業を自動的に行うように構成してもよい。その結果、改善作業を円滑に行うことができる。
【産業上の利用可能性】
【００８８】
本発明は、カラーコード、カラーコード読取装置、カラーコード読取システム、及び画像形成装置の分野に利用可能である。
【符号の説明】
【００８９】
７      画像形成部
１０    カラーコード
１１    第１補完セル（セル）
１１ａ・１２ａ・１３ａ・１４ａ・１５ａ    第１領域
１１ｂ・１２ｂ・１３ｂ・１４ｂ・１５ｂ    第２領域
１２    第２補完セル（セル）
１３    第３補完セル（セル）
１４    第４補完セル（セル）
１５    第５補完セル（セル）
２０    カラーコード読取システム
３０    カラーコード読取装置
３１    読取部
３２    記憶部
３４    認識部
３５    算出部
１００  画像形成装置
【図１】
2018169670.tif 000003
【図２】
2018169670.tif 000004
【図３】
2018169670.tif 000005
【図４】
2018169670.tif 000006
【図５】
2018169670.tif 000007